(57)【要約】【課題】  隣接するパチンコ遊技機の出力との混同を回避することができるパチンコ遊技機を提供する。【解決手段】  遊技進行全般に係る制御を行うメイン基板１１と、該メイン基板１１からの信号に基づき音声信号を発生する音声制御基板１４と、該音声制御基板１４からの音声信号を増幅するアンプ基板１３と、前面枠３に配設され、アンプ基板１３で増幅された音声信号に基づき左右それぞれから音声を出力する左右のサテライトスピーカ６ａ、６ｂとを具備したパチンコ遊技機において、左右のサテライトスピーカ６ａ、６ｂのそれぞれを互いに接近させつつ、遊技者の着座位置Ｉに向けて配置したものである。【選択図】図１
2006167116.tif 000002
【特許請求の範囲】
【請求項１】
遊技進行全般に係る制御を行うメイン基板と、
該メイン基板からの信号に基づき音声信号を発生する音声制御基板と、
該音声制御基板からの音声信号を増幅するアンプ基板と、
前面枠に配設され、前記アンプ基板で増幅された音声信号に基づき左右それぞれから音声を出力する左右のサテライトスピーカと、
を具備したパチンコ遊技機において、
前記左右のサテライトスピーカのそれぞれを互いに接近させつつ、遊技者の着座位置に向けて配置したことを特徴とするパチンコ遊技機。
【請求項２】
接近させた前記左右のサテライトスピーカを前記前面枠の左右何れかの位置に偏向して配置したことを特徴とする請求項１記載のパチンコ遊技機。
【請求項３】
前記左右のサテライトスピーカが配設された位置に対して他方の左右何れかの位置には、遊技の進行に基づいて点灯又は点滅し得るランプが配設されたことを特徴とする請求項２記載のパチンコ遊技機。
【発明の詳細な説明】
【技術分野】
【０００１】
本発明は、左右のサテライトスピーカを具備して音声による演出効果を高めたパチンコ遊技機に関するものである。
【背景技術】
【０００２】
パチンコ遊技機は、一般に、遊技全般に係る制御を行うメイン基板と、該メイン基板と電気的に接続されたサブ制御基板（図柄制御基板、ランプ制御基板及び音声制御基板など）とを主に有しており、遊技内容に応じた視覚的又は聴覚的演出を行い得るよう構成されている。例えば、図柄制御基板により、遊技盤に設けられた図柄表示手段における図柄を変動又は停止表示させるとともに、ランプ制御基板にてランプ類を点滅又は点灯させ、音声制御基板にてスピーカから音声や効果音を発生することによる演出効果により遊技性を向上していた。特に、近時においては、音響効果を重視して例えば左右のサテライトスピーカ（左右独立に音声出力可能なステレオスピーカ）等を具備したパチンコ遊技機が普及するに至っている（例えば特許文献１及び特許文献２参照）
【特許文献１】特開平８−１０３５４３号公報
【特許文献２】特開２００２−１３６６７３号公報
【発明の開示】
【発明が解決しようとする課題】
【０００３】
しかしながら、上記従来のパチンコ遊技機においては、左右のサテライトスピーカが前面枠の上部における左右隅部にそれぞれ配設されているため、以下の如き問題があった。即ち、遊技場におけるパチンコ遊技機は、幅方向に複数台並設されているのが通常であるが、前面枠の左右にそれぞれサテライトスピーカが配設されていると、隣接するパチンコ遊技機の音声出力と混同してしまう虞があった。例えば、自分のパチンコ遊技機における右側（左側）のスピーカ出力と、右隣（左隣）のパチンコ遊技機における左側（右側）のスピーカ出力との判別がつき難く、混同をきたしてしまうのである。
【０００４】
本発明は、このような事情に鑑みてなされたもので、隣接するパチンコ遊技機の出力との混同を回避することができるパチンコ遊技機を提供することにある。
【課題を解決するための手段】
【０００５】
請求項１記載の発明は、遊技進行全般に係る制御を行うメイン基板と、該メイン基板からの信号に基づき音声信号を発生する音声制御基板と、該音声制御基板からの音声信号を増幅するアンプ基板と、前面枠に配設され、前記アンプ基板で増幅された音声信号に基づき左右それぞれから音声を出力する左右のサテライトスピーカとを具備したパチンコ遊技機において、前記左右のサテライトスピーカのそれぞれを互いに接近させつつ、遊技者の着座位置に向けて配置したことを特徴とする。
【０００６】
請求項２記載の発明は、請求項１記載のパチンコ遊技機において、請求項１記載のパチンコ遊技機において、接近させた前記左右のサテライトスピーカを前記前面枠の左右何れかの位置に偏向して配置したことを特徴とする。
【０００７】
請求項３記載の発明は、請求項２記載のパチンコ遊技機において、前記左右のサテライトスピーカが配設された位置に対して他方の左右何れかの位置には、遊技の進行に基づいて点灯又は点滅し得るランプが配設されたことを特徴とする。
【発明の効果】
【０００８】
請求項１の発明によれば、左右のサテライトスピーカのそれぞれを互いに接近させつつ、遊技者の着座位置に向けて配置したので、隣接するパチンコ遊技機の出力との混同を回避することができる。また、圧縮時に音声データを調整すれば、ステレオダイポール技術を利用することができ、着座位置の遊技者にクリアなサラウンド音を出力することができる。
【０００９】
請求項２の発明によれば、接近させた左右のサテライトスピーカを前面枠の左右何れかの位置に偏向して配置したので、従来の如く左右対称にスピーカをそれぞれ配設したものに比べ、パチンコ遊技機のデザイン性を向上させることができる。
【００１０】
請求項３の発明によれば、左右のサテライトスピーカが配設された位置に対して他方の左右何れかの位置には、遊技の進行に基づいて点灯又は点滅し得るランプが配設されたので、パチンコ遊技機のデザイン性を更に向上させることができる。
【発明を実施するための最良の形態】
【００１１】
以下、本発明の実施形態について図面を参照しながら具体的に説明する。
本実施形態に係るパチンコ遊技機は、図１乃至図４に示すように、前面枠３、内枠１０及び外枠７から主に構成されており、このうち前面枠３には、遊技盤（不図示）を透視し得るガラス窓２と、遊技盤上に遊技球を打ち出すためのハンドル４と、遊技者が投入する遊技球及び払い出しされた賞球等を受け得る受け皿５と、ステレオスピーカから成る左右のサテライトスピーカ６ａ及び６ｂと、複数のランプＲとが形成されている。
【００１２】
ハンドル４は、遊技者が把持しつつ回動操作することにより、内部の発射装置（不図示）を駆動させ、連続的に遊技盤上へ遊技球を打ち出し可能としたものである。かかるハンドル４の回動操作にて遊技盤上へ打ち出された遊技球が、当該遊技盤上に形成された入賞口（普通入賞口や大入賞口等含む）に入賞すると、その入賞に対応して設定された個数の賞球が払い出しされるよう構成されている。受け皿５は、前面枠３から正面側（遊技者側）に膨出して形成され、遊技者が投入する遊技球、払い戻される賞球又はファウル球等を多数収容し得るものである。
【００１３】
また、内枠１０の正面側下部には、図３及び図４に示すように、低周波音響出力を出すためのバススピーカユニット８が配設されているとともに、前面枠３における当該バススピーカユニット８に対応した位置には、低周波音響出力を遊技者側に良好に出し得る出力用孔３ａが形成されている。かかるバススピーカユニット８の背面には、図３に示すように、アンプ基板９が配設されている。
【００１４】
かかるアンプ基板９は、後述する音声制御基板２０からの音声信号を増幅して出力させ得るもので、アンプ基板９をバススピーカユニット８の背面に搭載することにより、当該アンプ基板９の配設スペースを小さくし、パチンコ遊技機１を構成する他の部品のレイアウトの自由度を向上させることができるとともに、これらを１部品として扱うことができるため、内枠３への組み付け時における部品点数を削減することができる。
【００１５】
尚、アンプ基板９は、音声信号の増幅機能の他、各スピーカ（左右サテライトスピーカ６ａ、６ｂ及びバススピーカユニット８）への出力の振り分け（左又は右のサテライトスピーカ何れかの出力或いは低周波音響出力の振り分け等）機能などステレオ出力に必要な一般的機能を備えているものである。
【００１６】
ところで、遊技盤の裏面側には、図７に示すように、メイン基板１１、サブ制御基板１２、ランプ制御基板１３及び音声制御基板１４が配設されている。具体的には、メイン基板１１とサブ制御基板１２とが接続されて当該メイン基板１１の出力信号或いは制御信号をサブ制御基板１２に送信し得るよう構成されているとともに、サブ制御基板１２とランプ制御基板１３及び音声制御基板１４とが接続されて当該サブ制御基板１２の出力信号或いは制御信号をランプ制御基板１３及び音声制御基板１４にそれぞれ送信し得るよう構成されている。
【００１７】
メイン基板１１は、パチンコ遊技機１における遊技進行全般に係る制御を行うためのもので、内在するＣＰＵには遊技盤に形成された各種スイッチ（作動口の遊技球の通過を検知する作動口ＳＷ、電動チューリップを通過したことを検知する特定入賞口ＳＷなど）及びソレノイド（電動役物内の所定キャラクタ等を動作させる電動役物ソレノイド、大入賞口を開閉させる大入賞口ソレノイドなど）が接続されている。
【００１８】
サブ制御基板１２は、メイン基板１１からの制御信号に基づいて図柄表示手段（不図示）などの表示を制御するためのものである。ランプ制御基板１３は、パチンコ遊技機１の前面枠３に形成されたランプＲやその他のランプ類（装飾ＬＥＤやサイドランプ、ガラス枠ランプ）と接続されて、これらランプ類の点灯又は点滅動作を制御するものである。例えば、ランプＲは、遊技の進行に基づいて点灯又は点滅し得るものであり、前面枠３の上部左側に形成された複数の発光手段から成る。
【００１９】
また、音声制御基板１４は、メイン基板１１からの信号に基づき音声信号を発生するためのもので、左右のサテライトスピーカ６ａ、６ｂ及びバススピーカユニット８から音声を出力し聴覚的演出効果を奏するためのものである。然るに、ランプ制御基板１３及び音声制御基板１４は、遊技盤の内枠１０に対する取り付けの際、フローティングコネクタＦ（図４参照）を介してランプＲ及びアンプ基板９と電気的に接続されて構成される。これにより、ランプ制御基板１３は、前面枠３に形成されたランプＲと電気的に接続されるとともに、アンプ基板９は、内枠１０に配設されたバススピーカユニット８及び前面枠３に配設された左右のサテライトスピーカ６ａ、６ｂの両者と電気的に接続されている。
【００２０】
フローティングコネクタＦは、所定のガタを有したコネクタから成り、遊技盤１１を内枠１０に組み付ける際、当該遊技盤１１側のコネクタ（不図示）と同時に且つ自動的に接続して、ランプ制御基板１３とランプＲ、及び音声制御基板１４とアンプ基板９との電気的接続を行わせるものである。これにより、遊技の進行に基づいてランプＲを点灯又は点滅させることができ、且つ、音声制御基板１４からの音声信号は、アンプ基板９にて増幅され、低周波音響出力がバススピーカユニット８から出力されるとともに、他の音響出力が左右のサテライトスピーカ６ａ、６ｂのそれぞれから出力されることとなる。
【００２１】
ここで、本実施形態に係るパチンコ遊技機１においては、左右のサテライトスピーカ６ａ、６ｂのそれぞれを互いに接近させつつ、遊技者の着座位置に向けて配設している。具体的には、図１及び図５に示すように、前面枠３における上部右側に膨出部３ｃを形成し、遊技者の着座位置Ｉと対向した取付面３ｂを形成するとともに、該取付面３ｂに左右のサテライトスピーカ６ａ、６ｂを近接配置させている。
【００２２】
これにより、左右のサテライトスピーカ６ａ及び６ｂが近接配置されつつ遊技者の着座位置Ｉに向けて配設されているので、図６のように、本パチンコ遊技機１を複数並設させた場合、隣接するパチンコ遊技機の出力との混同を回避することができる。即ち、同図Ａの位置にあるパチンコ遊技機におけるスピーカ位置と、隣接するＢ及びＣの位置にあるパチンコ遊技機のスピーカ位置とが物理的に離間するので、各々のスピーカからの出力の混同が回避されるのである。
【００２３】
また、音声制御基板１４が予め具備する音声データの圧縮時に調整すれば、ステレオダイポール技術を利用することができ、着座位置Ｉの遊技者にクリアなサラウンド音を出力することができる。このステレオダイポール技術とは、音響再生分野における信号処理技術の一つであり、特殊なデジタルフィルタを通して音源信号を処理し、その音声データを２つの近接したスピーカ（即ち、左右のサテライトスピーカ６ａ、６ｂ）によって再生することで、明確な音像定位を実現することができるものである。
【００２４】
更に、本実施形態によれば、接近させた左右のサテライトスピーカ６ａ、６ｂを前面枠３の右側の位置に偏向して配置したので、従来の如く左右対称にスピーカをそれぞれ配設したものに比べ、左右非対称な斬新なデザインを採用することができ、パチンコ遊技機１のデザイン性を向上させることができる。また更に、本実施形態においては、前面枠３の上部右側の位置に左右のサテライトスピーカ６ａ、６ｂを偏向配置するとともに、他方の位置である上部左側の位置に、ランプＲを形成しているので、左右非対称なデザインを提供することができ、パチンコ遊技機１のデザイン性を更に向上させることができる。
【００２５】
以上、本実施形態について説明したが、本発明はこれに限定されるものではなく、例えば一般的な上下２段の受け皿（上皿及び下皿）を具備したパチンコ遊技機、或いはバススピーカ８がないもの（即ち、左右のサテライトスピーカ６ａ、６ｂのみによって音声出力が行われるもの）に適用するようにしてもよい。また、左右のサテライトスピーカ６ａ、６ｂとバススピーカ８との双方に、それぞれ専用のアンプ基板を具備させたものとしてもよい。更に、左右のサテライトスピーカ６ａ、６ｂのそれぞれを互いに接近させつつ、遊技者の着座位置Ｉに向けて配置していれば、例えば前面枠３における上部左側に当該サテライトスピーカ６ａ、６ｂを偏向配置するようにしてもよく、或いは前面枠３における上部中央又はその近傍に配置するようにしてもよい。
【産業上の利用可能性】
【００２６】
左右のサテライトスピーカのそれぞれを互いに接近させつつ、遊技者の着座位置に向けて配置したパチンコ遊技機であれば、外観形状が異なるもの或いは他の機能が付加されたものにも適用することができる。
【図面の簡単な説明】
【００２７】
【図１】本発明の実施形態に係るパチンコ遊技機を示す正面図
【図２】同パチンコ遊技機を示す斜視図
【図３】同パチンコ遊技機を示す右側面図
【図４】同パチンコ遊技機の前面枠を開けた状態を示す斜視図
【図５】同パチンコ遊技機を示す上面図
【図６】同パチンコ遊技機を複数並設させた場合における、各々の音声出力範囲を示す模式図
【図７】同パチンコ遊技機における主な構成部品の接続を示すブロック図
【符号の説明】
【００２８】
１    パチンコ遊技機
２    ガラス窓
３    前面枠
４    ハンドル
５    受け皿
６ａ、６ｂ    左右のサテライトスピーカ
７    外枠
８    バススピーカユニット
９    アンプ基板
１０  内枠
１１  メイン基板
１２  サブ制御基板
１３  ランプ制御基板
１４  音声制御基板
Ｉ    着座位置
Ｒ    ランプ
【図１】
2006167116.tif 000003
【図２】
2006167116.tif 000004
【図３】
2006167116.tif 000005
【図４】
2006167116.tif 000006
【図５】
2006167116.tif 000007
【図６】
2006167116.tif 000008
【図７】
2006167116.tif 000009